【誤訳訂正書】
【提出日】平成26年3月3日(2014.3.3)
【誤訳訂正１】
【訂正対象書類名】特許請求の範囲
【訂正対象項目名】全文
【訂正方法】変更
【訂正の内容】
【特許請求の範囲】
【請求項１】
複数の多重周波数ブロードキャストネットワークに対するブロードキャストメタデータを通信する方法において、
前記複数の多重周波数ブロードキャストネットワークのそれぞれに対するメタデータを受信することと、
仮想ホームチャネルを提供するために、前記複数の多重周波数ブロードキャストネットワークのうちのローカルのものとともに、前記複数の多重周波数ブロードキャストネットワークのうちの少なくとも１つの他のものから受信したメタデータの少なくとも一部分とに対する、メタデータをブロードキャストすることとを含む方法。
【請求項２】
前記複数の多重周波数ブロードキャストネットワークのうちのローカルのものは、地理的エリアのマーケット内にあり、ローカルコンテンツを伝える請求項１記載の方法。
【請求項３】
前記メタデータは、File Delivery over Undirectional Transport（ＦＬＵＴＥ）プロトコルを使用してブロードキャストされる請求項１記載の方法。
【請求項４】
メタデータは、時間的ドメインのサービスのオーバーラップを減少させるように設定されているずらされたサイクリックパターンにしたがって、前記複数の多重周波数ブロードキャストネットワークによってブロードキャストされる請求項１記載の方法。
【請求項５】
物理レイヤにおいてサポートされているような潜在的な受信を評価するために、受信機デバイスによって前記メタデータブロードキャストを使用することができるように、前記複数の多重周波数ブロードキャストネットワークの間で、メタデータブロードキャストを時間的に同期させる請求項１記載の方法。
【請求項６】
複数の異なるネットワークからの同じサービスを受信機デバイスが評価できるように、前記同期させたメタデータブロードキャストもずらす請求項５記載の方法。
【請求項７】
４つの時間的フェーズに関して、前記メタデータブロードキャストをずらす請求項６記載の方法。
【請求項８】
時間的ドメインのサービスのオーバーラップを減少させるために、前記複数の多重周波数ブロードキャストネットワークのうちの近接しているものの間で、コンテンツのブロードキャストをずらし、
前記メタデータブロードキャストは、受信機デバイスが前記コンテンツブロードキャストを受信することを可能にするために、前記時間的にずらすことについての情報を提供する請求項１記載の方法。
【請求項９】
前記メタデータのブロードキャストは、より速い電源投入獲得と、信号の損失状態からのより速い回復とを、受信機デバイスが達成することを可能にするように構成されている請求項１記載の方法。
【請求項１０】
前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
ブロードキャストされるべきである前記複数の多重周波数ブロードキャストネットワークから受信した前記メタデータの部分を決定することをさらに含む請求項１記載の方法。
【請求項１１】
前記データレポジトリは、前記複数の多重周波数ブロードキャストネットワークのうちの１つ以上によって管理される請求項１０記載の方法。
【請求項１２】
前記データレポジトリは、前記複数の多重周波数ブロードキャストネットワークのうちの任意のものに関係しない第三者によって管理される請求項１０記載の方法。
【請求項１３】
ブロードキャストされるべき受信したメタデータの前記決定された部分は、前記受信したメタデータのすべてを実質的に含む請求項１０記載の方法。
【請求項１４】
ブロードキャストされるべき受信したメタデータの前記決定された部分は、前記受信したメタデータのサブセットを含む請求項１０記載の方法。
【請求項１５】
ブロードキャストされるべき受信したメタデータの前記決定された部分は、マーケット内のすべてのネットワークに対するすべてのメタデータの少なくとも一部分をブロードキャストする前記マーケット内の特定のネットワークに対するメタデータを含む請求項１０記載の方法。
【請求項１６】
前記複数の多重周波数ブロードキャストネットワークのうちの１つ以上によってブロードキャストされるべきである前記複数の多重周波数ブロードキャストネットワークから受信した前記メタデータの部分を決定することは、前記複数のブロードキャストネットワークのうちの１つ以上内の受信エリアに基づいて、ブロードキャストされるべきである前記受信したメタデータの部分を決定することを含む請求項１０記載の方法。
【請求項１７】
ブロードキャストされるべき受信したメタデータの前記決定された部分は、前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含む請求項１０記載の方法。
【請求項１８】
前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む請求項１０記載の方法。
【請求項１９】
前記ローカルのもの前記複数の多重周波数ブロードキャストネットワークの前記カバレッジエリアに近接して位置付けられているブロードキャストカバレッジエリアを持つ多重周波数ブロードキャストネットワークは、前記複数の多重周波数ブロードキャストネットワークのうちのローカルのものと、前記複数の多重周波数ブロードキャストネットワークのうちの他のものとの間の距離に基づいて識別される請求項１８記載の方法。
【請求項２０】
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものは、前記複数の多重周波数ブロードキャストネットワークのブロードキャストカバレッジエリアの形状に基づいてさらに決定される請求項１９記載の方法。
【請求項２１】
ブロードキャストされるべき受信したメタデータの前記決定された部分は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択される請求項１０記載の方法。
【請求項２２】
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む請求項１記載の方法。
【請求項２３】
前記複数の多重周波数ブロードキャストネットワークのうちの１つ以上に対するメタデータパッケージを発生させることは、前記複数の多重周波数ブロードキャストネットワークの少なくともサブセットに対する複数のメタデータパッケージを発生させることを含む請求項２２記載の方法。
【請求項２４】
前記複数のメタデータパッケージのうちの１つ以上は、前記複数の多重周波数ブロードキャストネットワークから受信した前記メタデータのサブセットを含む請求項２３記載の方法。
【請求項２５】
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む請求項１記載の方法。
【請求項２６】
前記複数の多重周波数ブロードキャストネットワークのそれぞれに対する各メタデータパッケージを発生させることは、メタデータのＮ個のサブセットを含むメタデータパッケージを発生させることを含む請求項２５記載の方法。
【請求項２７】
前記複数の多重周波数ブロードキャストネットワークのそれぞれに対するメタデータを受信することは、前記複数の多重周波数ブロードキャストネットワークのうちのローカルのものにおける前記複数の多重周波数ブロードキャストネットワークのそれぞれから、前記メタデータを受信することを含み、
前記方法は、
前記複数の多重周波数ブロードキャストネットワークから受信した前記メタデータにルールのセットを適用して、前記複数の多重周波数ブロードキャストネットワークのうちのローカルのものによってブロードキャストされるべき前記受信したメタデータの一部分を決定することをさらに含む請求項１記載の方法。
【請求項２８】
前記複数の多重周波数ブロードキャストネットワークのうちのローカルのものにおける前記複数の多重周波数ブロードキャストネットワークのそれぞれに対する前記メタデータを受信することは、データネットワークから前記メタデータを受信することと、前記複数の多重周波数ブロードキャストネットワークのうちの１つ以上のブロードキャスト送信から前記メタデータを受信することと、のうちの１つを含む請求項２７記載の方法。
【請求項２９】
コンピュータにおいて、
複数の多重周波数ブロードキャストネットワークのそれぞれに対するメタデータを受信することと、
仮想ホームチャネルを提供するために、前記多重周波数ブロードキャストネットワークとともに、前記複数の多重周波数ブロードキャストネットワークのうちの少なくとも１つの他のものから受信した前記メタデータの少なくとも一部分とに対する、メタデータを前記多重周波数ブロードキャストネットワークにブロードキャストさせることとを含む動作を実行するための、コンピュータ実行可能なソフトウェア命令を有するように構成され、重周波数ブロードキャストネットワークに結合されているコンピュータ。
【請求項３０】
前記多重周波数ブロードキャストネットワークは、地理的エリアのマーケット内にあり、ローカルコンテンツをブロードキャストする請求項２９記載のコンピュータ。
【請求項３１】
前記コンピュータは、File Delivery over Undirectional Transport（ＦＬＵＴＥ）プロトコルを使用して前記メタデータがブロードキャストされるように、コンピュータ実行可能なソフトウェア命令を有するように構成されている請求項２９記載のコンピュータ。
【請求項３２】
前記コンピュータは、前記複数の多重周波数ブロードキャストネットワークによるメタデータブロードキャストの時間的ドメインのサービスのオーバーラップを減少させるように設定されているずらされたサイクリックパターンにしたがって、前記メタデータが時々ブロードキャストされるように、コンピュータ実行可能なソフトウェア命令を有するように構成されている請求項２９記載のコンピュータ。
【請求項３３】
前記コンピュータは、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるようにコンピュータ実行可能なソフトウェア命令を有するように構成されている請求項２９記載のコンピュータ。
【請求項３４】
前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている請求項３３記載のコンピュータ。
【請求項３５】
前記コンピュータは、４つの時間的フェーズに関して前記メタデータブロードキャストをずらすようにコンピュータ実行可能なソフトウェア命令を有するように構成されている請求項３４記載のコンピュータ。
【請求項３６】
前記コンピュータは、
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するようにコンピュータ実行可能なソフトウェア命令を有するように構成されている請求項２９記載のコンピュータ。
【請求項３７】
前記コンピュータは、前記メタデータのブロードキャストにより、より速い電源投入獲得と、信号の損失状態からのより速い回復とを受信機デバイスが達成することが可能になるようにコンピュータ実行可能なソフトウェア命令を有するように構成されている請求項２９記載のコンピュータ。
【請求項３８】
前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
ブロードキャストされるべきである前記複数の多重周波数ブロードキャストネットワークから受信した前記メタデータの部分を決定することをさらに含む動作を実行するための、コンピュータ実行可能なソフトウェア命令を有するように構成されている請求項２９記載のコンピュータ。
【請求項３９】
前記コンピュータは、前記複数の多重周波数ブロードキャストネットワークのうちの任意のものに関係しない第三者によって管理される請求項３８記載のコンピュータ。
【請求項４０】
前記コンピュータは、ブロードキャストされるべき受信したメタデータの前記決定された部分が、前記受信したメタデータのすべてを実質的に含むようにコンピュータ実行可能なソフトウェア命令を有するように構成されている請求項３８記載のコンピュータ。
【請求項４１】
前記コンピュータは、ブロードキャストされるべき受信したメタデータの前記決定された部分が、前記受信したメタデータのサブセットを含むようにコンピュータ実行可能なソフトウェア命令を有するように構成されている請求項３８記載のコンピュータ。
【請求項４２】
前記コンピュータは、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むようにコンピュータ実行可能なソフトウェア命令を有するように構成されている請求項３８記載のコンピュータ。
【請求項４３】
前記コンピュータは、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むようにコンピュータ実行可能なソフトウェア命令を有するように構成されている請求項３８記載のコンピュータ。
【請求項４４】
前記コンピュータは、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むようにコンピュータ実行可能なソフトウェア命令を有するように構成されている請求項３８記載のコンピュータ。
【請求項４５】
前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作を実行するための、コンピュータ実行可能なソフトウェア命令を有するように構成されている請求項２９記載のコンピュータ。
【請求項４６】
前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように、コンピュータ実行可能なソフトウェア命令を有するように構成されている請求項４５記載のコンピュータ。
【請求項４７】
前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように、コンピュータ実行可能なソフトウェア命令を有するように構成されている請求項４６記載のコンピュータ。
【請求項４８】
前記コンピュータは、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるようにコンピュータ実行可能なソフトウェア命令を有するように構成されている請求項３８記載のコンピュータ。
【請求項４９】
前記コンピュータは、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作を実行するためのコンピュータ実行可能なソフトウェア命令を有するように構成されている請求項３８記載のコンピュータ。
【請求項５０】
前記コンピュータは、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むようにコンピュータ実行可能なソフトウェア命令を有するように構成されている請求項４９記載のコンピュータ。
【請求項５１】
前記コンピュータは、前記複数のメタデータパッケージのうちの１つ以上が、前記複数の多重周波数ブロードキャストネットワークから受信した前記メタデータのサブセットを含むようにコンピュータ実行可能なソフトウェア命令を有するように構成されている請求項５０記載の方法。
【請求項５２】
前記コンピュータは、
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作を実行するためのコンピュータ実行可能なソフトウェア命令を有するように構成されている請求項２９記載のコンピュータ。
【請求項５３】
前記コンピュータは、前記複数の多重周波数ブロードキャストネットワークのそれぞれに対する各メタデータパッケージを発生させることが、メタデータのＮ個のサブセットを含むメタデータパッケージを発生させることを含むようにコンピュータ実行可能なソフトウェア命令を有するように構成されている請求項５２記載のコンピュータ。
【請求項５４】
前記コンピュータは、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作を実行するための、コンピュータ実行可能なソフトウェア命令を有するように構成されている請求項２９記載のコンピュータ。
【請求項５５】
前記コンピュータは、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むようにコンピュータ実行可能なソフトウェア命令を有するように構成されている請求項５４記載のコンピュータ。
【請求項５６】
多重周波数ブロードキャストネットワークに結合されているコンピュータにおいて、
複数の多重周波数ブロードキャストネットワークのそれぞれに対するメタデータを受信する手段と、
仮想ホームチャネルを提供するために、前記多重周波数ブロードキャストネットワークとともに、前記複数の多重周波数ブロードキャストネットワークのうちの少なくとも１つの他のものから受信した前記メタデータの少なくとも一部分とに対するメタデータをブロードキャストする手段とを具備するコンピュータ。
【請求項５７】
前記多重周波数ブロードキャストネットワークは、地理的エリアのマーケット内にあり、ローカルコンテンツをブロードキャストする請求項５６記載のコンピュータ。
【請求項５８】
メタデータをブロードキャストする手段は、File Delivery over Undirectional Transport（ＦＬＵＴＥ）プロトコルを使用して、前記メタデータをブロードキャストする手段を備える請求項５６記載のコンピュータ。
【請求項５９】
前記複数の多重周波数ブロードキャストネットワークによるメタデータブロードキャストの時間的ドメインのサービスのオーバーラップを減少させるように設定されているずらされたサイクリックパターンにしたがって、前記メタデータを時々ブロードキャストする手段をさらに具備する請求項５６記載のコンピュータ。
【請求項６０】
物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、メタデータブロードキャストを同期させる手段をさらに具備する請求項５６記載のコンピュータ。
【請求項６１】
メタデータブロードキャストとメタデータブロードキャストを同期させる手段は、複数の異なる多重周波数ブロードキャストネットワークからの同じサービスを受信機デバイスが評価することを可能にするずらした態様でメタデータブロードキャストと、メタデータブロードキャストを同期させる手段を備える請求項６０記載のコンピュータ。
【請求項６２】
ずらした態様でメタデータブロードキャストとメタデータブロードキャストを同期させる手段は、４つの時間的フェーズに関してずらす、ずらした様態でメタデータブロードキャストと、メタデータブロードキャストを同期させる手段を備える請求項６１記載のコンピュータ。
【請求項６３】
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらし、
メタデータをブロードキャストする手段は、受信機デバイスが前記コンテンツブロードキャストを受信することを可能するために、前記時間的にずらすことについての情報を提供する前記メタデータをブロードキャストする手段を備える請求項５６記載のコンピュータ。
【請求項６４】
メタデータをブロードキャストする手段は、より速い電源投入獲得と、信号の損失状態からのより速い回復とを受信機デバイスが達成することを可能にする形態で前記メタデータをブロードキャストする手段を備える請求項５６記載のコンピュータ。
【請求項６５】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、
ブロードキャストされるべきである前記複数の多重周波数ブロードキャストネットワークから受信した前記メタデータの部分を決定する手段をさらに備える請求項５６記載のコンピュータ。
【請求項６６】
前記コンピュータは、前記複数の多重周波数ブロードキャストネットワークのうちの任意のものに関係しない第三者によって管理される請求項６５記載のコンピュータ。
【請求項６７】
ブロードキャストされるべき受信したメタデータの部分を決定する手段は、前記受信したメタデータのすべてを実質的にブロードキャストする手段を備える請求項６５記載のコンピュータ。
【請求項６８】
ブロードキャストされるべき受信したメタデータの部分を決定する手段は、前記受信したメタデータのサブセットをブロードキャストする手段を備える請求項６５記載のコンピュータ。
【請求項６９】
ブロードキャストされるべき受信したメタデータの部分を決定する手段は、マーケット内のすべてのネットワークに対するすべてのメタデータの少なくとも一部分をブロードキャストする前記マーケット内の特定のネットワークに対する、ブロードキャストされるべき受信したメタデータの部分を決定する手段を備える請求項６５記載のコンピュータ。
【請求項７０】
仮想ホームチャネルを提供するために、ブロードキャストされるべきである前記複数の多重周波数ブロードキャストネットワークから受信した前記メタデータの部分を決定する手段は、前記複数のブロードキャストネットワークのうちの１つ以上内の受信エリアに基づいて、ブロードキャストされるべきである前記受信したメタデータの部分を決定する手段を備える請求項６５記載のコンピュータ。
【請求項７１】
仮想ホームチャネルを提供するために、ブロードキャストされるべきである前記複数の多重周波数ブロードキャストネットワークから受信した前記メタデータの部分を決定する手段は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的にブロードキャストする手段を備える請求項６５記載のコンピュータ。
【請求項７２】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７３】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークと、前記複数の多重周波数ブロードキャストネットワークのうちの他のものとの間の距離に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７４】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記複数の多重周波数ブロードキャストネットワークのブロードキャストカバレッジエリアの形状に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７５】
ブロードキャストされるべきである前記複数の多重周波数ブロードキャストネットワークから受信した前記メタデータの部分を決定する手段は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるメタデータを選択する手段を備える請求項６５記載のコンピュータ。
【請求項７６】
前記複数の多重周波数ブロードキャストネットワークのうちの特定のものによってブロードキャストされるべきである前記複数の多重周波数ブロードキャストネットワークから受信した前記メタデータの部分を決定する手段と、
前記複数の多重周波数ブロードキャストネットワークのうちの１つ以上に対するメタデータパッケージを発生させる手段と、
ブロードキャストのために、前記発生されたメタデータパッケージを前記複数の多重周波数ブロードキャストネットワークのうちの１つ以上に送信する手段とをさらに具備する請求項６５記載のコンピュータ。
【請求項７７】
前記複数の多重周波数ブロードキャストネットワークのうちの１つ以上に対するメタデータパッケージを発生させる手段は、前記複数の多重周波数ブロードキャストネットワークの少なくともサブセットに対する複数のメタデータパッケージを発生させる手段を備える請求項７６記載のコンピュータ。
【請求項７８】
前記複数の多重周波数ブロードキャストネットワークの少なくともサブセットに対する複数のメタデータパッケージを発生させる手段は、前記複数のメタデータパッケージのうちの１つ以上が、前記複数の多重周波数ブロードキャストネットワークから受信した前記メタデータのサブセットを含むように、前記複数の多重周波数ブロードキャストネットワークの少なくともサブセットに対する複数のメタデータパッケージを発生させる手段を備える請求項７７記載のコンピュータ。
【請求項７９】
前記複数の多重周波数ブロードキャストネットワークのそれぞれによってブロードキャストされるべきである前記複数の多重周波数ブロードキャストネットワークから受信した前記メタデータの部分を決定する手段と、
前記複数の多重周波数ブロードキャストネットワークのそれぞれに対する各メタデータパッケージを発生させる手段と、
ブロードキャストのために、前記複数の多重周波数ブロードキャストネットワークのそれぞれに前記発生された各メタデータパッケージを送信する手段とをさらに具備する請求項５６記載のコンピュータ。
【請求項８０】
ブロードキャストのために、前記複数の多重周波数ブロードキャストネットワークのそれぞれに前記発生された各メタデータパッケージを送信する手段は、メタデータのＮ個のサブセットを含むメタデータパッケージを発生させることを含む、前記複数の多重周波数ブロードキャストネットワークのそれぞれに対する各メタデータパッケージを発生させる手段を備える請求項７９記載のコンピュータ。
【請求項８１】
前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定する手段をさらに具備する請求項５６記載のコンピュータ。
【請求項８２】
前記複数の多重周波数ブロードキャストネットワークのそれぞれに対する前記メタデータを受信する手段は、データネットワークから前記メタデータを受信する手段と、前記複数の多重周波数ブロードキャストネットワークのうちの１つ以上のブロードキャスト送信から前記メタデータを受信する手段と、のうちの１つを備える請求項８１記載のコンピュータ。
【請求項８３】
一時的でないコンピュータ読み取り可能な記憶媒体において、
複数の多重周波数ブロードキャストネットワークのそれぞれに対するメタデータを受信することと、
仮想ホームチャネルを提供するために、前記多重周波数ブロードキャストネットワークとともに、前記複数の多重周波数ブロードキャストネットワークのうちの少なくとも１つの他のものから受信した前記メタデータの少なくとも一部分とに対するメタデータを前記多重周波数ブロードキャストネットワークにブロードキャストさせることとを含む動作を、多重周波数ブロードキャストネットワークに結合されているコンピュータに実行させるように構成されている、コンピュータ実行可能なソフトウェア命令がその上に記憶されている一時的でないコンピュータ読み取り可能な記憶媒体。
【請求項８４】
前記多重周波数ブロードキャストネットワークは、地理的エリアのマーケット内にあり、ローカルコンテンツをブロードキャストする請求項８３記載の一時的でないコンピュータ読み取り可能な記憶媒体。
【請求項８５】
前記記憶されているコンピュータ実行可能なソフトウェア命令は、File Delivery over Undirectional Transport（ＦＬＵＴＥ）プロトコルを使用して前記メタデータがブロードキャストされるように動作をコンピュータに実行させるように構成されている請求項８３記載の一時的でないコンピュータ読み取り可能な記憶媒体。
【請求項８６】
前記記憶されているコンピュータ実行可能なソフトウェア命令は、前記複数の多重周波数ブロードキャストネットワークによるメタデータブロードキャストの時間的ドメインのサービスのオーバーラップを減少させるように設定されているずらされたサイクリックパターンにしたがって、前記メタデータが時々ブロードキャストされるように動作をコンピュータに実行させるように構成されている請求項８３記載の一時的でないコンピュータ読み取り可能な記憶媒体。
【請求項８７】
前記記憶されているコンピュータ実行可能なソフトウェア命令は、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるように動作をコンピュータに実行させるように構成されている請求項８３記載の一時的でないコンピュータ読み取り可能な記憶媒体。
【請求項８８】
前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている請求項８７記載の一時的でないコンピュータ読み取り可能な記憶媒体。
【請求項８９】
前記記憶されているコンピュータ実行可能なソフトウェア命令は、４つの時間的フェーズに関して前記メタデータブロードキャストをずらすように動作をコンピュータに実行させるように構成されている請求項８８記載の一時的でないコンピュータ読み取り可能な記憶媒体。
【請求項９０】
前記記憶されているコンピュータ実行可能なソフトウェア命令は、
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するように動作をコンピュータに実行させるように構成されている請求項８３記載の一時的でないコンピュータ読み取り可能な記憶媒体。
【請求項９１】
前記記憶されているコンピュータ実行可能なソフトウェア命令は、前記メタデータのブロードキャストが、より速い電源投入獲得と、信号の損失状態からのより速い回復とを受信機デバイスが達成することを可能にするように動作をコンピュータに実行させるように構成されている請求項８３記載の一時的でないコンピュータ読み取り可能な記憶媒体。
【請求項９２】
前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、ブロードキャストされるべきである前記複数の多重周波数ブロードキャストネットワークから受信した前記メタデータの部分を決定することをさらに含む動作をコンピュータに実行させるように構成されている請求項８３記載の一時的でないコンピュータ読み取り可能な記憶媒体。
【請求項９３】
前記コンピュータは、前記複数の多重周波数ブロードキャストネットワークのうちの任意のものに関係しない第三者によって管理される請求項９２記載の一時的でないコンピュータ読み取り可能な記憶媒体。
【請求項９４】
前記記憶されているコンピュータ実行可能なソフトウェア命令は、ブロードキャストされるべき受信したメタデータの前記決定された部分が、前記受信したメタデータのすべてを実質的に含むように動作をコンピュータに実行させるように構成されている請求項９２記載の一時的でないコンピュータ読み取り可能な記憶媒体。
【請求項９５】
前記記憶されているコンピュータ実行可能なソフトウェア命令は、ブロードキャストされるべき受信したメタデータの前記決定された部分が、前記受信したメタデータのサブセットを含むように動作をコンピュータに実行させるように構成されている請求項９２記載の一時的でないコンピュータ読み取り可能な記憶媒体。
【請求項９６】
前記記憶されているコンピュータ実行可能なソフトウェア命令は、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むように動作をコンピュータに実行させるように構成されている請求項９２記載の一時的でないコンピュータ読み取り可能な記憶媒体。
【請求項９７】
前記記憶されているコンピュータ実行可能なソフトウェア命令は、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むように動作をコンピュータに実行させるように構成されている請求項９２記載の一時的でないコンピュータ読み取り可能な記憶媒体。
【請求項９８】
前記記憶されているコンピュータ実行可能なソフトウェア命令は、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むように動作をコンピュータに実行させるように構成されている請求項９２記載の一時的でないコンピュータ読み取り可能な記憶媒体。
【請求項９９】
前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作をコンピュータに実行させるように構成されている請求項８３記載の一時的でないコンピュータ読み取り可能な記憶媒体。
【請求項１００】
前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように動作をコンピュータに実行させるように構成されている請求項９９記載の一時的でないコンピュータ読み取り可能な記憶媒体。
【請求項１０１】
前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように動作をコンピュータに実行させるように構成されている請求項１００記載の一時的でないコンピュータ読み取り可能な記憶媒体。
【請求項１０２】
前記記憶されているコンピュータ実行可能なソフトウェア命令は、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるように動作をコンピュータに実行させるように構成されている請求項９２記載の一時的でないコンピュータ読み取り可能な記憶媒体。
【請求項１０３】
前記記憶されているコンピュータ実行可能なソフトウェア命令は、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作をコンピュータに実行させるように構成されている請求項９２記載の一時的でないコンピュータ読み取り可能な記憶媒体。
【請求項１０４】
前記記憶されているコンピュータ実行可能なソフトウェア命令は、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むように動作をコンピュータに実行させるように構成されている請求項１０３記載の一時的でないコンピュータ読み取り可能な記憶媒体。
【請求項１０５】
前記記憶されているコンピュータ実行可能なソフトウェア命令は、前記複数のメタデータパッケージのうちの１つ以上が、前記複数の多重周波数ブロードキャストネットワークから受信した前記メタデータのサブセットを含むように動作をコンピュータに実行させるように構成されている請求項１０４記載の一時的でないコンピュータ読み取り可能な記憶媒体。
【請求項１０６】
前記記憶されているコンピュータ実行可能なソフトウェア命令は、前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作をコンピュータに実行させるように構成されている請求項８３記載の一時的でないコンピュータ読み取り可能な記憶媒体。
【請求項１０７】
前記記憶されているコンピュータ実行可能なソフトウェア命令は、前記複数の多重周波数ブロードキャストネットワークのそれぞれに対する各メタデータパッケージを発生させることが、メタデータのＮ個のサブセットを含むメタデータパッケージを発生させることを含むように動作をコンピュータに実行させるように構成されている請求項１０６記載の一時的でないコンピュータ読み取り可能な記憶媒体。
【請求項１０８】
前記記憶されているコンピュータ実行可能なソフトウェア命令は、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作をコンピュータに実行させるように構成されている請求項８３記載の一時的でないコンピュータ読み取り可能な記憶媒体。
【請求項１０９】
前記記憶されているコンピュータ実行可能なソフトウェア命令は、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むように動作をコンピュータに実行させるように構成されている請求項１０８記載の一時的でないコンピュータ読み取り可能な記憶媒体。
【請求項１１０】
１つの多重周波数ブロードキャストネットワークから受信機デバイス中の別のものへのハンドオフを実施する方法において、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む方法。
【請求項１１１】
前記異なるネットワークは、前記別の多重周波数ブロードキャストネットワークである請求項１１０記載の方法。
【請求項１１２】
別の多重周波数ブロードキャストネットワークに対する前記メタデータを使用して、マーケット中の複数のネットワークから前記異なるネットワークを選択することをさらに含む請求項１１０記載の方法。
【請求項１１３】
受信したメタデータが、前記ローカル多重周波数ブロードキャストネットワークから受信したメタデータに類似しているか否かを決定することをさらに含み、
前記異なるネットワークへの前記ハンドオフを達成することは、前記受信したメタデータが前記ローカル多重周波数ブロードキャストネットワークから受信したメタデータに類似しているときに、同じまたは類似したコンテンツへの暗黙的なハンドオフを達成することを含む請求項１１０記載の方法。
【請求項１１４】
前記受信機デバイスは、前記受信したメタデータブロードキャストを使用して、より速い電源投入獲得と、信号損失の状態からのより速い回復とを達成する請求項１１０記載の方法。
【請求項１１５】
前記別の多重周波数ブロードキャストネットワークに対する前記メタデータを使用して、そのネットワークへのハンドオフを実行する準備をすることは、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含む請求項１１０記載の方法。
【請求項１１６】
前記別の多重周波数ブロードキャストネットワークから受信した前記メタデータブロードキャストを使用して、マーケット中の複数のネットワークから前記異なるネットワークを選択することは、類似したサービスメタデータをブロードキャストする前記マーケット中の前記複数のネットワークのうちの１つを選択することを含む請求項１１５記載の方法。
【請求項１１７】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含む請求項１１５記載の方法。
【請求項１１８】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と、正確に一致する請求項１１５記載の方法。
【請求項１１９】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含む請求項１１５記載の方法。
【請求項１２０】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含む請求項１１５記載の方法。
【請求項１２１】
前記別の多重周波数ブロードキャストネットワークから受信した前記メタデータブロードキャストを使用して、マーケット中の複数のネットワークから前記異なるネットワークを選択することは、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含む請求項１１５記載の方法。
【請求項１２２】
受信機デバイスにおいて、
プロセッサと、
前記プロセッサに結合され、多重周波数ブロードキャストネットワークからのブロードキャスト送信を受信するように構成されている多重周波数受信機回路とを具備し、
前記プロセッサは、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を実行するための、プロセッサ実行可能な命令を有するように構成されている受信機デバイス。
【請求項１２３】
前記プロセッサは、前記異なるネットワークが前記別の多重周波数ブロードキャストネットワークであるように動作を実行するための、プロセッサ実行可能な命令を有するように構成されている請求項１２２記載の受信機デバイス。
【請求項１２４】
前記プロセッサは、別の多重周波数ブロードキャストネットワークに対する前記メタデータを使用して、マーケット中の複数のネットワークから前記異なるネットワークを選択することをさらに含む動作を実行するための、プロセッサ実行可能な命令を有するように構成されている請求項１２２記載の受信機デバイス。
【請求項１２５】
前記プロセッサは、受信したメタデータが前記ローカル多重周波数ブロードキャストネットワークから受信したメタデータに類似しているか否かを決定することをさらに含む動作を実行するための、プロセッサ実行可能な命令を有するように構成され、
前記プロセッサは、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を実行するための、プロセッサ実行可能な命令を有するように構成されている請求項１２２記載の受信機デバイス。
【請求項１２６】
前記プロセッサは、前記受信機デバイスが、前記受信したメタデータブロードキャストを使用して、より速い電源投入獲得と、信号損失の状態からのより速い回復とを達成するように動作を実行するための、プロセッサ実行可能な命令を有するように構成されている請求項１２２記載の受信機デバイス。
【請求項１２７】
前記プロセッサは、
前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を実行するための、プロセッサ実行可能な命令を有するように構成されている請求項１２２記載の受信機デバイス。
【請求項１２８】
前記プロセッサは、
前記別の多重周波数ブロードキャストネットワークから受信した前記メタデータブロードキャストを使用して、マーケット中の複数のネットワークから前記異なるネットワークを選択することが、類似したサービスメタデータをブロードキャストする、前記マーケット中の前記複数のネットワークのうちの１つを選択することを含むように動作を実行するための、プロセッサ実行可能な命令を有するように構成されている請求項１２７記載の受信機デバイス。
【請求項１２９】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含むように動作を実行するための、プロセッサ実行可能な命令を有するように構成されている請求項１２７記載の受信機デバイス。
【請求項１３０】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と、正確に一致するように動作を実行するための、プロセッサ実行可能な命令を有するように構成されている請求項１２７記載の受信機デバイス。
【請求項１３１】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含むように動作を実行するための、プロセッサ実行可能な命令を有するように構成されている請求項１２７記載の受信機デバイス。
【請求項１３２】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を実行するための、プロセッサ実行可能な命令を有するように構成されている請求項１２７記載の受信機デバイス。
【請求項１３３】
前記プロセッサは、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を実行するための、プロセッサ実行可能な命令を有するように構成されている請求項１２７記載の受信機デバイス。
【請求項１３４】
受信機デバイスにおいて、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定する手段と、
前記別の多重周波数ブロードキャストネットワークに対する前記メタデータを使用して、異なるネットワークへのハンドオフを実行する準備をする手段と、
ハンドオフを達成すべきときを決定する手段と、
前記異なるネットワークへの前記ハンドオフを達成する手段とを具備する受信機デバイス。
【請求項１３５】
前記異なるネットワークは、前記別の多重周波数ブロードキャストネットワークである請求項１３４記載の受信機デバイス。
【請求項１３６】
別の多重周波数ブロードキャストネットワークに対する前記メタデータを使用して、マーケット中の複数のネットワークから前記異なるネットワークを選択する手段をさらに具備する請求項１３４記載の受信機デバイス。
【請求項１３７】
前記受信したメタデータが、前記ローカル多重周波数ブロードキャストネットワークから受信したメタデータに類似しているか否かを決定する手段をさらに具備し、
前記異なるネットワークへの前記ハンドオフを達成する手段は、前記受信したメタデータが前記ローカル多重周波数ブロードキャストネットワークから受信したメタデータに類似しているときに、同じまたは類似したコンテンツへの暗黙的なハンドオフを達成する手段を備える請求項１３４記載の受信機デバイス。
【請求項１３８】
前記受信したメタデータブロードキャストを使用して、より速い電源投入獲得と、信号損失の状態からのより速い回復とを達成する手段をさらに具備する請求項１３４記載の受信機デバイス。
【請求項１３９】
前記別の多重周波数ブロードキャストネットワークに対する前記メタデータを使用して、そのネットワークへのハンドオフを実行する準備をする手段は、
前記別の多重周波数ブロードキャストネットワークに対する前記メタデータを使用して、前記別の多重周波数ブロードキャストネットワークを受信する手段と、
前記別の多重周波数ブロードキャストネットワークからのメタデータブロードキャストを受信する手段と、
前記別の多重周波数ブロードキャストネットワークから受信した前記メタデータブロードキャストを使用して、マーケット中の複数のネットワークから前記異なるネットワークを選択する手段とを備える請求項１３４記載の受信機デバイス。
【請求項１４０】
前記別の多重周波数ブロードキャストネットワークから受信した前記メタデータブロードキャストを使用して、マーケット中の複数のネットワークから前記異なるネットワークを選択する手段は、類似したサービスをブロードキャストする、前記マーケット中の前記複数のネットワークのうちの１つを選択する手段を備える請求項１３９記載の受信機デバイス。
【請求項１４１】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、現在受信されているコンテンツの一意的なコンテンツ識別子と一致する一意的なコンテンツ識別子を含む請求項１３９記載の受信機デバイス。
【請求項１４２】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と正確に一致する請求項１３９記載の受信機デバイス。
【請求項１４３】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含む請求項１３９記載の受信機デバイス。
【請求項１４４】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記受信機デバイスが受信することができる物理レイヤコンフィギュレーションのプロビジョニングを含む請求項１３９記載の受信機デバイス。
【請求項１４５】
前記別の多重周波数ブロードキャストネットワークから受信した前記メタデータブロードキャストを使用して、マーケット中の複数のネットワークから前記異なるネットワークを選択する手段は、現在受信されているコンテンツをブロードキャストしている前記マーケット中の前記複数のネットワークのうちの１つを選択する手段を備え、前記マーケット中の前記複数のネットワークのうちの１つに対するブロードキャストメタデータは、前記受信機デバイスが受信することができる物理レイヤコンフィギュレーションのプロビジョニングを含む請求項１３９記載の受信機デバイス。
【請求項１４６】
一時的でないプロセッサ読み取り可能な記憶媒体において、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を、受信機デバイスのプロセッサに実行させるように構成されているプロセッサ実行可能な命令がその上に記憶されている一時的でないプロセッサ読み取り可能な記憶媒体。
【請求項１４７】
前記記憶されているプロセッサ実行可能な命令は、前記異なるネットワークが、前記別の多重周波数ブロードキャストネットワークであるように動作を受信機デバイスのプロセッサに実行させるように構成されている請求項１４６記載の一時的でないプロセッサ読み取り可能な記憶媒体。
【請求項１４８】
前記記憶されているプロセッサ実行可能な命令は、別の多重周波数ブロードキャストネットワークに対する前記メタデータを使用して、マーケット中の複数のネットワークから前記異なるネットワークを選択することをさらに含む動作を受信機デバイスのプロセッサに実行させるように構成されている請求項１４６記載の一時的でないプロセッサ読み取り可能な記憶媒体。
【請求項１４９】
前記記憶されているプロセッサ実行可能な命令は、受信したメタデータが、前記ローカル多重周波数ブロードキャストネットワークから受信したメタデータに類似しているか否かを決定することをさらに含む動作を受信機デバイスのプロセッサに実行させるように構成され、
前記記憶されているプロセッサ実行可能な命令は、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を受信機デバイスのプロセッサに実行させるように構成されている請求項１４６記載の一時的でないプロセッサ読み取り可能な記憶媒体。
【請求項１５０】
前記記憶されているプロセッサ実行可能な命令は、より速い電源投入獲得と、信号損失の状態からのより速い回復とを達成するために、前記受信機デバイスが、前記受信したメタデータブロードキャストを使用するように動作を受信機デバイスのプロセッサに実行させるように構成されている請求項１４６記載の一時的でないプロセッサ読み取り可能な記憶媒体。
【請求項１５１】
前記記憶されているプロセッサ実行可能な命令は、前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからのメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を、受信機デバイスのプロセッサに実行させるように構成されている請求項１４６記載の一時的でないプロセッサ読み取り可能な記憶媒体。
【請求項１５２】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、類似したサービスメタデータをブロードキャストする、前記マーケット中の前記複数のネットワークのうちの１つを選択することを含むように動作を受信機デバイスのプロセッサに実行させるように構成されている請求項１５１記載の一時的でないプロセッサ読み取り可能な記憶媒体。
【請求項１５３】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含むように動作を受信機デバイスのプロセッサに実行させるように構成されている請求項１５１記載の一時的でないプロセッサ読み取り可能な記憶媒体。
【請求項１５４】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と正確に一致するように動作を受信機デバイスのプロセッサに実行させるように構成されている請求項１５１記載の一時的でないプロセッサ読み取り可能な記憶媒体。
【請求項１５５】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含むように動作を受信機デバイスのプロセッサに実行させるように構成されている請求項１５１記載の一時的でないプロセッサ読み取り可能な記憶媒体。
【請求項１５６】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を受信機デバイスのプロセッサに実行させるように構成されている請求項１５１記載の一時的でないプロセッサ読み取り可能な記憶媒体。
【請求項１５７】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を受信機デバイスのプロセッサに実行させるように構成されている請求項１５１記載の一時的でないプロセッサ読み取り可能な記憶媒体。